(57)【要約】【課題】火災が発生した場合に、熱膨張による扉の反りなどの変形を防止し、炎や煙の拡散を確実に防止することができる扉錠を提供すること。【解決手段】一端を丁番などにより回動自在に枢支された扉Ｄの中央部には、ハンドル３８の回動操作により解錠するラッチ５を有する主錠１を取り付け、前記扉Ｄの上端部と下端部のいずれか一方または両方にはラッチ錠２または３を取り付け、閉扉時は主錠のラッチ５と、ラッチ錠のラッチ６または８とで同時に施錠すると共に、前記主錠１とラッチ錠２または３とを連動部材４で連結し、主錠１のハンドル３８の回動操作によって主錠１のラッチ５を解錠すると共に、該連動部材を介して前記ラッチ錠２または３のラッチ６または８を同時に解錠して開扉できる。【選択図】図１（ａ）
2013249644.tif 000002
【特許請求の範囲】
【請求項１】
一端を丁番などにより回動自在に枢支された扉の開放端側の中央部には、ハンドルの回動操作により解錠するラッチを有する主錠を取り付け、前記扉の上端部と下端部のいずれか一方または両方にはラッチ錠を取り付けて、閉扉時は前記主錠のラッチとラッチ錠のラッチとで同時に施錠するように設けられており、
前記主錠とラッチ錠とを連動部材で連結し、主錠のハンドルの回動操作によって前記主錠のラッチを解錠すると共に、該連動部材を介して前記ラッチ錠のラッチを同時に解錠して開扉できるように構成したことを特徴とする扉錠。
【請求項２】
前記連動部材は、扉の開放端側の開口部に設けられると共に、前記主錠とラッチ錠のケースの前方部でそれぞれのラッチ作動機構に連結されていることを特徴とする請求項１に記載の扉錠。
【請求項３】
前記連動部材は、扉の内部に設けられると共に、前記主錠とラッチ錠のケースの後方部でそれぞれのラッチ作動機構に連結されていることを特徴とする請求項１に記載の扉錠。
【請求項４】
前記扉の上端部と下端部のいずれか一方または両方に取り付けるラッチ錠は、前記ラッチ作動機構を構成するカムの回動によりラッチが後退して解錠するラッチ錠であることを特徴とする請求項１から請求項３までのいずれかに記載の扉錠。
【請求項５】
前記扉の上端部と下端部のいずれか一方または両方に取り付けるラッチ錠のラッチは反転式のラッチであり、該ラッチの反転が前記ラッチ作動機構を構成する施錠部材によって規制または解除されるようにしたことを特徴とする請求項１から請求項３までのいずれかに記載の扉錠。
【請求項６】
前記主錠は、ラッチと本締用のデッドボルトとを有することを特徴とする請求項１から請求項５までのいずれかに記載の扉錠。
【発明の詳細な説明】
【技術分野】
【０００１】
本発明は、火災が発生した場合、扉が熱で変形し、それにより生じた隙間から炎や煙が外部に拡散することを防ぐようにした扉錠に関するものである。
【背景技術】
【０００２】
従来の扉錠は、例えば実開昭６０−９０３６７号公報（以下、特許文献１という。）に示されているように、扉の中央部に取り付けられた１個の錠により、扉の中央部のみが施錠されていた。
【先行技術文献】
【特許文献】
【０００３】
【特許文献１】実開昭６０−９０３６７号公報
【発明の概要】
【発明が解決しようとする課題】
【０００４】
しかしながら、上記特許文献１に記載の扉錠では火災が発生した場合、扉の中央部は扉錠で施錠されているので熱による扉の変形は防止できるが、上端部と下端部が変形して扉に反りが生じる。そのため、扉の上端部と下端部の隙間から炎や煙が外部に拡散し、延焼の原因となった。
【０００５】
また、上記特許文献１以外で、扉の中央部と上端部および下端部の３箇所を施錠する“三点締り錠”といわれる扉錠が提案されているが、これは防犯性の向上を目的とするもので、少なくとも上，下の錠は本締り錠であり、閉扉と同時に上，下の錠は同時に施錠されるものではなかった。そのため、閉扉状態であっても、上，下の錠が施錠されていない状態で火災が発生した場合、特許文献１の扉錠と同様に扉に反りが生じ、延焼を防ぐことはできなかった。
【０００６】
本発明は、上記事情に鑑みてなされたものであり、閉扉時は扉の中央部と上端部か下端部との２箇所または両端部との３箇所が同時にラッチ錠で施錠され、火災発生時に熱による扉の変形を防止し、延焼を確実に防止できるようにした扉錠の提供を目的とする。
【課題を解決するための手段】
【０００７】
本発明は、前記課題を解決するためになされたものであり、請求項１に記載の発明は、一端を丁番などにより回動自在に枢支された扉の開放端側の中央部には、ハンドルの回動操作により解錠するラッチを有する主錠を取り付け、前記扉の上端部と下端部のいずれか一方または両方にはラッチ錠を取り付けて、閉扉時は前記主錠のラッチとラッチ錠のラッチとで同時に施錠するように設けられており、前記主錠とラッチ錠とを連動部材で連結し、主錠のハンドルの回動操作によって前記主錠のラッチを解錠すると共に、該連動部材を介して前記ラッチ錠のラッチを同時に解錠して開扉できるように構成したことを特徴とする扉錠である。
【０００８】
請求項２に記載の発明は、前記連動部材は、扉の開放端側の開口部に設けられると共に、前記主錠とラッチ錠のケースの前方部でそれぞれのラッチ作動機構に連結されていることを特徴とする請求項１に記載の扉錠である。
【０００９】
請求項３に記載の発明は、前記連動部材は、扉の内部に設けられると共に、前記主錠とラッチ錠のケースの後方部でそれぞれのラッチ作動機構に連結されていることを特徴とする請求項１に記載の扉錠である。
【００１０】
請求項４に記載の発明は、前記扉の上端部と下端部のいずれか一方または両方に取り付けるラッチ錠は、前記ラッチ作動機構を構成するカムの回動によりラッチが後退して解錠するラッチ錠であることを特徴とする請求項１から請求項３までのいずれかに記載の扉錠である。
【００１１】
請求項５に記載の発明は、前記扉の上端部と下端部のいずれか一方または両方に取り付けるラッチ錠のラッチは反転式のラッチであり、該ラッチの反転が前記ラッチ作動機構を構成する施錠部材によって規制または解除されるようにしたことを特徴とする請求項１から請求項３までのいずれかに記載の扉錠である。
【００１２】
請求項６に記載の発明は、前記主錠は、ラッチと本締用のデッドボルトとを有することを特徴とする請求項１から請求項５までのいずれかに記載の扉錠である。
【発明の効果】
【００１３】
本発明の扉錠によれば、閉扉時には扉の中央部と扉の上端部か下端部との２箇所、またはその両方との３箇所がラッチ錠で自動的に同時に施錠されるので、火災発生の場合、熱による扉の変形を確実に防ぐことができ、延焼を防ぐことができる。また、解錠操作は、中央部のラッチ錠をハンドル操作によって解錠すると、連動部材を介して上端部か下端部またはその両方のラッチ錠も同時に解錠できるので、通常の扉錠として使用する時に便利である。
【００１４】
また、請求項２，４，５に記載の本発明の第１および第２実施例の扉錠では、主錠と上端部と下端部のいずれか一方または両方に取り付けたラッチ錠とを連結する連動部材は、錠のケースの前方部であって、扉の開放端側の開口部内で上下方向に作動可能に設けてあるので、連動部材を主錠とラッチ錠に連結させる作業が簡単であると共に、使用中のメンテナンスも容易である。
【００１５】
一方、請求項３，４，５に記載の本発明の第３および第４実施例の扉錠では、上記連動部材は錠のケースの後方部の扉内に内蔵されるので、異物の混入による作動不良の虞れもなく、また外観にも優れる。
【００１６】
請求項６に記載の扉錠によれば、主錠にはラッチ錠のラッチのほかに本締用のデッドボルトを有しているので、この主錠で防犯性も確保できる。
【図面の簡単な説明】
【００１７】
【図１（ａ）】本発明の扉錠の第１および第２実施例の使用状態を示す、室外側から見た正面図である。
【図１（ｂ）】前記図１（ａ）の扉の開口部側から見た左側面図である。
【図２】図１の中央部の主錠のケース内部を示す正面図である。
【図３】図２の要部横断平面図である。。
【図４（ａ）】図１（ａ）の扉の上端部と下端部のラッチ錠のケース内部の縦断正面図である。
【図４（ｂ）】図４（ａ）の下端部のラッチ錠の横断平面図である。
【図５】図２の主錠のハンドルを操作して、解錠した状態を示す正面図である。
【図６】図２の主錠の要部縦断側面図である。
【図７】図５の主錠の要部縦断側面図である。
【図８】図５に示す、主錠を解錠した時に連動して解錠された上端部と下端部のラッチ錠を示す縦断正面図である。
【図９】図８の要部縦断側面図である。
【図１０】本発明の扉錠の第２実施例を示すもので、扉の上端部と下端部のラッチ錠が反転式のラッチを使用した場合のラッチ錠のケース内部の正面図である。
【図１１】図１０の上端部のラッチ錠の要部横断平面図である。
【図１２】図１０の上端部のラッチ錠の要部縦断側面図である。
【図１３】図１０において、主錠を解錠した時（図５と同じ）、連動して解錠された上端部の反転式のラッチ錠を示す正面図である。
【図１４】図１３の要部横断平面図である。
【図１５】図１３の要部縦断側面図である。
【図１６】（ａ）は本発明の扉錠の第１実施例の変形例を示すもので、主錠のケース内部の正面図、（ｂ）は図１６（ａ）における、作動部材４０と連動部材４との連結状態を示す、要部拡大斜視図である。
【図１７】図１６（ａ）の要部横断平面図である。
【図１８】本発明の扉錠の第１実施例の変形例を示すもので、上端部と下端部のラッチ錠のケース内部の正面図である。
【図１９】図１８の上端部のラッチ錠の要部横断平面図である。
【図２０】本発明の扉錠の第２実施例の変形例で、上端部と下端部のラッチ錠が反転式のラッチを使用した場合のラッチ錠の正面図である。
【図２１】本発明の扉錠の第３実施例および第４実施例の使用状態を示す、室外側から見た正面図である。
【図２２】図２１の主錠のケース内部を示す正面図である。
【図２３】図２２の要部横断平面図である。
【図２４】図２１の上端部と下端部のラッチ錠のケース内部の正面図である。
【図２５】図２４の上端部のラッチ錠の要部横断平面図である。
【図２６】図２１に示す主錠のハンドルを操作して、解錠した状態を示す正面図である。
【図２７】図２６に示す、主錠を解錠した時に連動して解錠された上端部と下端部のラッチ錠を示す正面図である。
【図２８】本発明の扉錠の第４実施例で、上端部と下端部のラッチ錠が、反転式のラッチを使用した場合のラッチ錠の正面図である。
【図２９】図２８の反転式のラッチを使用したラッチ錠が、主錠の解錠に連動して解錠された状態を示す正面図である。
【発明を実施するための形態】
【００１８】
以下、本発明の扉錠の実施例１〜４について、図面に基づいて具体的に説明する。
【実施例１】
【００１９】
図１〜９は、本発明の扉錠の第１実施例を示すもので、図１（ａ）は、使用状態を示す室外側から見た正面図であり、図１（ｂ）は同じく使用状態を示す扉の開放端側から見た左側面図である。
【００２０】
本第１実施例の扉錠は、一端を丁番Ｈなどにより回動自在に枢支された扉Ｄの開放端側の中央部に、ハンドル３８の回動操作により解錠するラッチ５を有する主錠１を取り付け、前記扉Ｄの上端部と下端部のいずれか一方または両方にラッチ錠２を取り付けるものであるが、図示する実施例では上端部と下端部の両方にラッチ錠２が取り付けてあり、閉扉時は主錠１のラッチ５と、上端部と下端部のラッチ錠２、２のラッチ６、６との３個のラッチで扉Ｄを同時に施錠するようにしてある。（なお、図１（ａ），（ｂ）で、３は後述の第２実施例のラッチ錠であり、８はそのラッチである。）
【００２１】
主錠１は、シリンダー３７やサムターン３９（図１（ｂ）参照）の操作により、図２および図３に示すように、突出、後退して施錠、解錠する本施錠用のデッドボルト７と、ハンドル３８の操作によって後退して解錠される、仮施錠用のラッチ５とを有している。
【００２２】
上記本施錠用のデッドボルト７の構成は、従来公知のものであり、シリンダー３７やサムターン３９の操作により、ハブ９を回動し、該ハブ９の先端部９５がデッドボルト７の係合凹部７７を押して、デッドボルト７を出没作動させる。なお、図中１９はケース１０に固定された保持部材で、該保持部材１９にハブ９が回動自在に枢支されて保持される。その他、７８はクリックバネ装置であり、ハブ９の先端部９５を付勢して、デッドボルト７を解錠状態または施錠状態に安定保持させるためのものであり、図２は、デッドボルト７が後退した解錠状態を示す。
【００２３】
ところで、この本施錠用のデッドボルト７は、本発明の扉錠を構成する主錠１の必須構成要素ではなく、デッドボルト７が無いものでもよい。その場合は、デッドボルトのみを有する本締錠を、主錠とは別に扉に取り付ければよい。
【００２４】
本発明はの扉錠の特徴は、主錠１には、ハンドル３８の操作によってラッチ５を解錠した時に連動する連動部材４，４を設けてあり、この連動部材４，４を扉の上端部と下端部のラッチ錠２，２に連結し、主錠１のラッチ５を解錠した時に、連動部材４，４を介して上端部と下端部のラッチ錠２、２のラッチ６，６が同時に解錠される点である。
【００２５】
上記主錠１は、ケース１０の後端部が、扉Ｄの開放端側の開口部Ｄ２から縦部材Ｄ１に形成された取付穴から扉Ｄ内に挿入され、ケース１０の先端部側で上下に折り曲げて形成された取付片１１，１１がネジ９２，９２で扉Ｄの縦部材Ｄ１に固定されることにより、扉Ｄに取り付けられる。
また、先端部の折曲片１０ｃにはネジ１７，１７によりフロント１３が取り付けられる。なお、該フロント１３と折曲片１０ｃとの間にはケース１０のカバー（図示せず）の折曲片１２が嵌装され、ネジ１７，１７により一体的に取り付けられる。
【００２６】
主錠１のケース１０内には、ラッチ５がフロント１３から出没自在に設けられ、連結部３２を介して固定されたラッチ柄３１が固定されている。また、ラッチ柄３１の後端部には作動部３３が設けられ、該作動部３３とケース１０との間に設けられたバネ３４により、ラッチ５は常時突出方向に付勢されると共に、カム５０の先端部５２に当接して、それ以上の突出が阻止されている。
【００２７】
カム５０は、図２および図３に示されるように、コの字状に折り曲げて形成され、その上下の一対の板状体に形成された軸部５４，５４がケース１０に形成された穴に嵌合されて回動自在に枢支されている。
上記カム５０の回動軸の中心部には角穴が形成され、断面が矩形状のハンドル３８の操作軸５１が挿通され、ハンドル３８の回動によりカム５０も一体的に回動する。
【００２８】
上記カム５０の上下一対の板状体間には、円筒状のバネ軸５６が設けられ、該バネ軸５６にキックバネ５７が掛架されている。該キックバネ５７の一端は、カム５０に形成したバネ掛け部５８に掛け、他端はケース１０に固定したネジ柱１８に掛けて、カム５０を常時反時計方向に付勢している。なお、カム５０の後端部５５が上記ネジ柱１８に当接し、キックバネ５７によるカム５０の反時計方向のそれ以上の回動が阻止されている。
従って、ハンドル３８を回動操作する時は、該キックバネ５７の付勢力に抗して回動操作し、ハンドル３８から手を放せばキックバネ５７の付勢力によってカム５０およびハンドル３８が元の状態に復帰する。
【００２９】
また、カム５０の先端部５２は、前記ラッチ５のラッチ柄３１に設けた作動部３３に当接しており、ハンドル３８を操作して時計方向に回動するとカム５０も一体に回動し、上記先端部５２が作動部３３を押動してラッチ５を後退作動させる。
【００３０】
なお、カム５０には作動部材４０を作動させるための作動部５３が形成されており、作動部材４０に形成した係合部４３に形成した当接部４４に係合し、カム５０の時計方向の回動により、該作動部５３が作動部材４０の当接部４４を押動して、作動部材４０を上方に作動させる。
【００３１】
ところで、上記作動部材４０は、縦長状の板状体の上下をコの字状に折り曲げて形成したもので、主錠１のケース１０内の前方部に上下方向に摺動自在に設けられている。また、該作動部材４０の上下をコの字状に折り曲げた板状体には作動ピン４２，４２が固定されており、それぞれ上下の連動部材４，４の係合部４１，４１に係合し、主錠１の作動部材４０が上方へ作動した時、上，下の連動部材４，４も連動して上方へ作動するように設けてある。
【００３２】
なお、前記の通りラッチ作動用のカム５０に形成した作動部５３が、上記作動部材４０の下方に形成した係合部４３に係合し、カム５０の回動により作動部材４０に形成した当接部４４を押動して作動部材４０を上方に摺動させるように設けてあり、上記カム５０および作動部材４０が主錠１のラッチ作動機構３０を構成している。
【００３３】
一方、本発明の第１実施例では、上，下の連動部材４，４は図１（ａ）、図２および図３に示されるように、長尺状の板状体により形成され、扉Ｄの開口部Ｄ２内で扉に取り付けられた主錠１のケース１０の側面部と、フロント１３のＬ字状に折り曲げた折曲片１３ａとの間に嵌装されて、上下方向に摺動自在に設けられている。（図３参照）。
【００３４】
また、上記の上，下の連動部材４，４は、図２、図４（ａ）および図６に示されるように、それぞれの下端部と上端部に形成された係合部４１，４１に作動ピン４２，４２が係合される。該作動ピン４２，４２は、図６に示されるように大径部と小径部を有する段付きのピンであって、主錠１のケース１０内で上下動自在に設けられたコの字状の作動部材４０の上端部と下端部に一体的に保持され、小径部の一端がケース１０の側面からケース１０の外に突出して、連動部材４，４の係合部４１，４１に係合される。
【００３５】
上記の上，下の連動部材４，４は、図４に示されるように扉Ｄの上端部および下端部に取り付けられたラッチ錠２，２のラッチ作動機構６０，６０を構成する作動部材２５，２５に保持した作動ピン２６，２６に係合して連結される。
【００３６】
ところで、上端部のラッチ錠２と下端部のラッチ錠２の構成および作用は同じであるので、一方の上端部のラッチ錠２の構成および作用についてのみ説明する。
【００３７】
上端部のラッチ錠２は、ケース２０の前方部で上，下に折り曲げられた取付片２１，２１が扉Ｄの縦部材Ｄ１にネジ９２，９２で取り付け固定される。また、ケース２０の更に前方部の折曲部２２，２２にはフロント２３がネジ１７，１７で固定されている。
【００３８】
上記ラッチ錠２のケース２０内には、ラッチ６が出没可能に嵌装されており、バネ６ｈにより常時突出方向に付勢され、閉扉時は図４（ａ）に示すようにフロント２３から突出し、枠側の受座（図示せず）に係合して施錠される。なお、ラッチ６にはラッチ柄６ｅが固定部６ｆを介して固定されており、その後端部には作動部６ｇが形成されている。
【００３９】
上記のケース２０の下方部には、カム９０を構成する第１カム７０と第２カム８０が、それぞれ枢軸２４を支点に回動自在に枢支されており、第１カム７０に形成した係合片７２が第２カム８０に形成した係合凹部８２に係合し、互いに一体的に回動するように設けてある。
【００４０】
また、上記のケース２０内には、作動部材２５が上下方向に摺動自在に設けられており、該作動部材２５の下端部に固定された作動ピン２６には、前記主錠１に連結された上方の連動部材４の上端部に形成された係合部４１に係合して、作動部材２５と連動部材４とが連結されている。
【００４１】
前記連動部材４は、図４（ｂ）に示されるように、前記主錠１の場合と同様に、扉Ｄの開口部Ｄ２内であってラッチ錠２のケース２０の側面部とフロント２３をＬ字状に折り曲げた折曲片２３ａとの間に嵌装され、上下方向に摺動自在に設けられている。
【００４２】
なお、前記作動部材２５の下方に形成した切欠部２７に形成した係合部２８には前記第２カム８０の先端部８１が係合しており、連動部材４の上動により作動部材２５を介して第２カム８０が時計方向に回動されるように設けてある。該第２カム８０の時計方向の回動により、前記第１カム７０が第２カム８０の係合凹部８２に係合する係合片７２を介して時計方向に一体的に回動し、ラッチ６を後退作動してラッチ錠２が解錠される。
【００４３】
ところで、第１カム７０と第２カム８０との間にはバネ７４が掛架されており、バネ７４の一端は第１カム７０の係合片７２に掛架され、他端は第２カム８０の下端部８３に掛架され、第２カム８０は反時計方向に付勢されて、その先端部８１は前記作動部材２５の係合部２８に当接し、後端部がケース２０に固設したネジ柱２０ａに当接し、それ以上の反時計方向の回動が阻止されている。
また、第１カム７０はバネ７４により時計方向への回動方向に付勢されているが、係合片７２が第２カム８０の係合凹部８２に当接し、第１カム７０もそれ以上の回動が阻止されている。
【００４４】
上記第１カム７０と第２カム８０とに掛架されたバネ７４は、主錠１のラッチ５を解錠操作した時に連動して上動する連動部材４を介して、ラッチ錠２の作動部材２５を上動して第２カム８０および第１カム７０を時計方向に回動してラッチ６を解錠する時、第１カム７０によるラッチ６の後退方向への力が必要以上に作用することを防ぐ働きを有する。
【００４５】
即ち、連動部材４および作動部材２５を介してカム９０によりラッチ６を後退作動させる時、作動部材２５にラッチ６を後退させるに必要な力より大きな力が作用した場合でも、カム９０を構成する第１カム７０と第２カム８０とに掛架したバネ７４がその力を吸収し、ラッチ６に必要以上の力が作用することを防いでいる。
（第１実施例の動作説明）
【００４６】
次に、前記本発明の第１実施例の扉錠の動作を図５ないし図９に基づいて説明する。
図５に示すように、主錠１のハンドル３８を時計方向に回動すると、カム５０が一体的に回動され、カム５０の先端部５２がラッチ５の作動部３３を押動してラッチ５を後退させて解錠する。この時、カム５０の作動部５３が係合する作動部材４０の当接部４４を押動して作動部材４０を上動させ、作動部材４０の上端部と下端部に設けた作動ピン４２，４２に係合する上，下の連動部材４、４を矢印方向に上動させる。
【００４７】
上記上，下の連動部材４，４が上動すると、図８および図９に示すように、上，下の連動部材４，４に連結されている上端部および下端部のラッチ錠２，２の作動部材２５，２５が矢印方向に上動し、該作動部材２５，２５に係合する第２カム８０，８０および第１カム７０，７０を時計方向に回動し、第１カム７０，７０の先端部７１，７１がラッチ５，５を後退させる。即ち、連動部材４，４の上動によりラッチ作動機構６０（作動部材２５とカム９０）を介してカム９０（第１カム７０と第２カム８０）が回動されてラッチ錠２，２が解錠される。
【実施例２】
【００４８】
図１０ないし図１５に基づいて、本発明の扉錠の第２実施例を説明する。
この第２実施例は、扉Ｄの上端部および下端部に取り付けられるラッチ錠３が、前記第１実施例のラッチ錠２と異なり、反転式のラッチ８を採用している点で相違するが、その他の構成は前記第１実施例のものと同じである。
なお、図示する実施例２でも、扉の中央部に前記実施例１と同様の主錠１を取り付け、扉Ｄの上端部と下端部の両方にラッチ錠３を取り付けた場合を示すが、ラッチ錠３は片方のみに取り付けてもよい。
【００４９】
上記ラッチ錠３のラッチ８は、従来公知の反転式のものであり、ラッチ８が突出して枠側の受座（図示せず）に係合した図１０の施錠状態は、ラッチ８の後端部の突起部８ａに作動部材４５に形成した施錠部４６が係合して、ラッチ８の反転が阻止された施錠状態である。
【００５０】
上記作動部材４５は、図１１，１２に示されるように板状体をコの字状に折り曲げて形成されており、図１０に示されるように正面外観も略コの字状に形成され、ラッチ錠３のケース３ａ内で、上下方向に摺動自在に設けられている。
該作動部材４５のコの字状の上片には、施錠部４６，４６が形成されており、常時ラッチ８の突起部８ａ，８ａに係合してラッチ８の反転を阻止する施錠状態に保持されている。その他図中３ｂ，３ｂはケース３ａに固定したガイド柱で、４５ａ，４５ａは作動部材４５に形成したガイド穴であり、作動部材４５は該ガイド柱３ｂ，３ｂをガイドにして上下動する。
【００５１】
上記ラッチ８は、ラッチ錠３のケース３ａに固定されたラッチケース８ｃ内で出没自在に、また反転自在に収納保持されている。８ｂはラッチ８とラッチケース８ｃとの間に設けたバネで、ラッチ８を常時突出方向に付勢している。また、ラッチ８とバネ８ｂとの間には、樹脂などにより形成されたバネ受８ｅが設けられており、これは、ラッチ８の出没および反転作動が円滑に行われるようにするためのものである。
【００５２】
上記ラッチケース８ｃの上方には、ガイド部材８ｄがケース３ａに固定されており、図１２に示されるように、該ガイド部材８ｄの上下に貫通する穴およびラッチケース８ｃに形成された穴に、作動部材４５の施錠部４６，４６が挿通されてラッチ８の突起部８ａ，８ａに係合してラッチの反転を阻止する。このガイド部材８ｄは、ラッチ８の反転を阻止する施錠状態で、ラッチ８に反転する方向への側圧が作用した場合の施錠部４６，４６の補強部材である。
【００５３】
ところで、本実施例２の上端部のラッチ錠３のケース３ａの下方からは主錠１のラッチ作動機構３０に連結された上方の連動部材４の上端部が挿入されて、ラッチ錠３のラッチ作動機構６１を構成する作動部材４５に保持された作動ピン４７に、該連動部材４の係合部４１を係合させて連結される。
また、上記連動部材４は前記実施例１の場合と同様に、扉Ｄの開口部Ｄ２内でケース３ａの前方部で、ケース３ａの側面部とＬ字状のフロント３ｅの折曲片３ｆとの間に挿通されて上下方向に摺動自在に設けられ、ラッチ作動機構６１を構成する作動部材４５に連結されている。
【００５４】
なお、扉の下端部のラッチ錠３は上端部のラッチ錠３と同じ構成であるが、主錠１のラッチ作動機構３０に連結された下方の連動部材４は、前記とは逆にラッチ錠３のケース３ａの上方から挿入されて、ラッチ作動機構６１を構成する作動部材４５に連結される。
（実施例２の動作説明）
【００５５】
次に、上記実施例２の動作を説明する。
前記の実施例１の場合と同様に、扉Ｄの中央部に取り付けた主錠１のハンドル３８を回動して、図５に示すようにラッチ５を後退させて解錠操作を行うと、ラッチ作動機構３０を構成する作動部材４０の上動に連動して、上，下の連動部材４，４が上動する。
【００５６】
該連動部材４，４が上動すると、それぞれに連結されているラッチ錠３，３の作動機構４５，４５が上動し、施錠部４６，４６とラッチ８の突起部８ａ，８ａとの係合が解除される（図１３，図１５参照）。すると、ラッチ８の反転が可能となり、図１１の状態から図１４の状態にラッチ８は反転してケース３ａ内に後退し、ラッチ錠３，３が解錠される。
なお、図１３は上端部のラッチ錠３のみを示すが、下端部のラッチ錠３も同じであるので省略する。
（実施例１の変形例）
【００５７】
図１６ないし図１９は、本発明の扉錠の第１実施例の変形例を示すもので、連動部材４，４の設置位置が前記の第１実施例とは異なる。
即ち、前記の第１実施例では連動部材４，４は、扉Ｄの開口部Ｄ２内で、主錠１のケース１０およびラッチ錠２のケース２０の側面部において、それぞれのフロント１３，２３の側面の折曲片１３ａおよび２３ａとの間に嵌装して設けられていた。
それに対し、本変形例では連動部材４，４は扉Ｄの開口部Ｄ２内で、主錠１およびラッチ錠２のケース１０および２０のフロント１３および２３と扉Ｄの縦部材Ｄ１の間に、上下方向に摺動自在に設けられている。
【００５８】
上記、本実施例の主錠１は図１６（ａ）に示されるように、前記第１実施例の主錠と同様にハンドル３８の回動により一体的に回動してラッチ５を後退させるカム５０と、該カム５０の回動に連動して上動する作動部材４０とを有し、作動部材４０の上下には上方の連動部材４および下方の連動部材４が連結されている。
その他、主錠１には前記第１実施例と同様にデッドボルト７とハブ９を備えている。
【００５９】
ところで、上記作動部材４０と連動部材４，４との連結部は図１６（ｂ）に示すように、上方の連動部材４はその下端部の両側を切り欠いて係合部４ａを形成し、該係合部４ａを作動部材４０の上端部の折曲片４０ａに形成した係合溝４０ｂに係合して、作動部材４０の上動に連動して連動部材４が上動するように連結してある。
【００６０】
なお、下方の連動部材４は、上記の上方の連動部材４とは逆に、その上端部に上記と同様の係合部４ａを形成し、作動部材４０の下端部の折曲片４０ａに形成した係合溝４０ｂに該連動部材４の係合部４ａを係合させて連結してある。
【００６１】
上記のように、主錠１の作動部材４０に連結された連動部材４，４は、扉Ｄの開口部Ｄ２内において、ケース１０の扉Ｄへの取付片１１，１１とフロント１３の上下の折曲片１３ａ、１３ａとの間に嵌装され、該取付片１１と折曲片１３ａにガイドされ上下方向に摺動する。
【００６２】
上記の上方の連動部材４の上端部は、図１８に示すように、扉Ｄの上端部に取り付けられたラッチ錠２の作動部材２５に連結され、下方の連動部材４の下端部は、扉Ｄの下端部に取り付けられたラッチ錠２の作動部材２５に連結される。その連結方法は、前記主錠１の作動部材４０との連結方法と同じで、連動部材４に形成した係合部４ａを作動部材２５の折曲片２５ａの係合溝に係合して連結してある。
【００６３】
なお、連動部材４は図１９に示すように、主錠１と同様に扉Ｄの開口部Ｄ２内において、ラッチ錠２のケース２０の取付片２１とフロント２３の折曲片２３ａとの間に嵌装されており、該折曲片２３ａと取付片２１とをガイドにして上下方向に摺動する。
【００６４】
上記の第１実施例の変形例の動作は、前記第１実施例の場合と同じであって、主錠１のハンドル３８を回動によってカム５０を回動し、ラッチ５を後退させて解錠すると、作動部材４０が上動し、作動部材４０に連結されている上方および下方の連動部材４，４が上動する。
該連動部材４，４の上動により、扉Ｄの上端部および下端部のラッチ錠２，２の作動部材２５，２５が上動してカム９０，９０を回動してラッチ６，６を後退させて、ラッチ錠２，２も解錠する。
【００６５】
即ち、扉Ｄの中央部の主錠１を、ハンドル３８によって解錠操作すると、連動部材４，４を介して、扉Ｄの上端部および下端部のラッチ錠２，２も同様に解錠されて開扉が可能となる。また、閉扉すれば主錠１およびラッチ錠２，２のラッチ５および６，６が受座（図示せず）に突出して係合し、施錠される。
（実施例２の変形例）
【００６６】
図２０は、本発明の扉錠の前記第２実施例の変形例を示す。
前記第２実施例では、扉の開放端側の上端部と下端部には反転式のラッチ８を使用したラッチ錠３，３を取り付け、該ラッチ錠３，３と扉の中央部に取り付けた主錠１とを連動部材４，４で連結したもので、該連動部材４，４は扉Ｄの開口部Ｄ２内において主錠１およびラッチ錠３のケース１０および３ａの側面部とフロント１３および３ｅの折曲片１３ａ，３ｆとの間に、上下動自在に嵌装されていた。
【００６７】
上記第２実施例に対し、本変形例では連動部材４，４の設置位置と主錠１およびラッチ錠３のラッチ作動機構３０および６１との連結方法が異なるが、これらは図１６ないし図１９に示される第１実施例の変形例の場合と同じである。
【００６８】
即ち、上下の連動部材４，４は扉の開口部Ｄ２内において主錠１のケース１０の上下の取付片１１，１１とフロント１３の上下の折曲片１３ａ，１３ａとにガイドされるように嵌装され、それぞれの下端部および上端部が主錠１の作動部材４０に連結される。
【００６９】
上記上方の連動部材４の上端部は、扉Ｄの開口部Ｄ２内において、扉Ｄの上端部のラッチ錠３のケース３ａの下方の取付片３ｃとフロント３ｅの下方の折曲片３ｆとの間に嵌装され、ラッチ錠３のラッチ作動機構６１を構成する作動部材４５に連結される。
その連結方法は、前記第１実施例の変形例と同じであり、図１６（ｂ）に示されるように連動部材４に形成した係合部４ａを作動部材４５の折曲片４５ｂの係合溝に係合して連結してある。
なお、下方の連動部材４と扉Ｄの下端部のラッチ錠３との連結方法も上記と同じである。
【００７０】
上記の第２実施例の変形例の扉錠の動作は、前記第２実施例の場合と同じであり、主錠１のハンドル３８を回動してラッチ５を後退させて解錠操作すると、上下の連動部材４，４が連動して上動し、該連動部材４，４に連結される上端部および下端部のラッチ錠３，３の作動部材４５，４５が上動し、反転式のラッチ８，８の反転が許容されてラッチ錠３，３が解錠される。
【００７１】
なお、上記ラッチ錠３，３の反転式のラッチ８やその施錠部の構成などは、前記の第２実施例と同じであるので、その説明は省略する。
【実施例３】
【００７２】
本発明の扉錠の第３実施例を図２１ないし図２７に示す。本実施例の特徴は、連動部材４，４が扉Ｄの内部に嵌装されて主錠１およびラッチ錠３，３のケース１０および２０，２０の後方部でそれぞれのラッチ作動機構３０および６０，６０に連結されている点にある。
【００７３】
扉Ｄの開放端側の中央部に取り付けられた主錠１の内部構成を図２２に示すが、ケース１０内にラッチ５がバネ３４を介して出没自在に嵌装され、ハンドル３８の回動と一体的に回動するカム５０が回動自在に枢支されており、該カム５０の回動によりカム５０の先端部５２がラッチ５に固定されたラッチ柄３１の作動部３３を押動してラッチ５を後退するようにしてある点は、前記第１実施例の主錠１と同じである。図中、５７はバネで、ケース１０に固定されたネジ柱１８とカム５０の後端部とに掛架してある。また、５１はハンドル３８の操作軸で、カム５０の回動中心部に挿通される。
【００７４】
上記主錠１のケース１０には、ケース１０の上端と下端部および後端部を覆うようにして外ケース１００が設けられている。
該外ケース１００は、その上端部と下端部が、ケース１０の扉Ｄの縦部材Ｄ１への取付用ネジ９２，９２によって、主錠１のケース１０と共に扉Ｄに取り付け固定される。
【００７５】
また、上記外ケース１００の後端部には、外ケース１００を上下方向に貫通するようにして、連動部材４が上下動可能に嵌装され、該連動部材４には、外ケース１００の上部および下部に位置する部分にネジ４８，４８を取り付けることにより、連動部材４が外ケース１００から離脱しないように保持される。
【００７６】
ところで、上記主錠１のケース１０の後端部には、板状の作動部材４００が上下動自在に保持されている。その保持方法は、作動部材４００に形成された上下のガイド穴４３０の幅より大きい外径の頭部を有する座金付のネジ１６，１６をガイド穴４３０，４３０からケース１０の後端部の側壁にネジ込むことにより、作動部材４００はネジ１６，１６の座金をガイドに上下動可能な状態でケース１０に保持される。
【００７７】
上記作動部材４００の中央部には、ケース１０の後端部から外ケース１００内に突出する作動片４２０が突設されており、該作動片４２０は上記連動部材４の係合部４１に係合して連結される（図２２，２３参照）。その連結方法は、扉Ｄの縦部材Ｄ１に主錠１のフロント１３をネジ９２，９２で固定した後、連動部材４，４を嵌装して保持した外ケース１００を扉Ｄの内部でケース１０の後方から、ケース１０を覆うようにして外ケース１００を差し込み、連動部材４の係合部４１を作動部材４００の作動片４２０に係合させて連結する。
【００７８】
また、上記作動部材４００の下方部には、前記主錠１のカム５０に形成された係合溝５３ａに対応する箇所に係合片４４０が突設され、該係合片４４０はカム５０の係合溝５３ａに係合され、カム５０の時計方向の回動に連動して作動部材４００が下方に摺動し、連動部材４も下方に摺動される。
ところで、上記連動部材４は図２４に示されるように、上端部は扉Ｄの上端部のラッチ錠２に連結され、下端部は扉Ｄの下端部のラッチ錠２に連結される。
【００７９】
上記扉Ｄの上端部のラッチ錠２は、前記第１実施例のラッチ錠２の場合と同様の構成を有し、ケース２０内にラッチ６がバネ６ｈを介して出没自在に嵌装され、ラッチ柄６ｅの作動部６ｇを押動してラッチ６を後退作動させるカム９０が回動自在に枢支されている。
【００８０】
該カム９０は、前記第１実施例と同様に第１カム７０と第２カム８０とより成り、互いに反回転方向に付勢する緩衝用のバネ７４が掛架されており、第１カム７０の先端部７１はラッチ６の作動部６ｇに当接し、係合片７２が第２カム８０の係合凹部８２に係合し、第２カム８０の時計方向への回動により第１カム７０も一体回動してラッチ６を後退させる。
【００８１】
また、上記ラッチ錠２のケース２０の後端部には、板状体により形成された作動部材２５が上下方向に摺動自在に設けられている。該作動部材２５の上部にはケース２０の後端部から外ケース２００内に突出する作動片２６が形成され、該作動片２６は後述するように、連動部材４に係合して連結される。一方、作動部材２５の下部にはケース２０内へ向かう方向に突出する係合部２８が形成され、該係合部２８はカム９０を構成する第２カム８０の先端部８１に係合し、作動部材２５の下動により係合部２８を介してカム９０を構成する第１カム７０が時計方向に回動される。
【００８２】
ところで、上記扉Ｄの上端部のラッチ錠２のケース２０は前記主錠１と同様に、その上部と下部および後端部を被覆するようにして外ケース２００が取り付け固定されており、該外ケース２００の後端部には主錠１に連結された連動部材４の先端部が挿入され上下動自在に設けられている。
該連動部材４は、外ケース２００内に挿入された部分に形成された係合部４１に上記作動部材２５の作動片２６が係合されて連結されており、連動部材４の上下動に連動して作動部材２５が上下動する。
【００８３】
また、上記連動部材４と作動部材２５との連結方法は、前記主錠１の場合と同じであり、外ケース２００の後端部に連動部材４を挿入した後、外ケース２００の外方の上部と下部にネジ４８，４８を固定して、外ケース２００から連動部材４が離脱しないように保持すると共に、該外ケース２００をラッチ錠２の後方から、ケース２０を覆うように装着して、連動部材４の係合部４１に作動部材２５の作動片２６を係合させて連結し、ネジ９２，９２で取り付け固定する。
【００８４】
なお、扉Ｄの下端部のラッチ錠２の構成は上記の上端部のラッチ錠２と同じ構成であるので、その説明は省略するが、該下端部のラッチ錠２には、前記主錠１に連結された連動部材４の下端部が連結される。
（第３実施例の作動説明）
【００８５】
上記第３実施例の扉錠の作動を説明する。
まず、図２６に示すように主錠１のハンドル３８を回動すると、カム５０が一体的に回動し、カム５０の先端部５２がラッチ柄３１の作動部３３を押動してラッチ５が後退し、主錠１のラッチ５が解錠される。
上記カム５０の回動により、カム５０の作動部５３に係合する係合片４４０を介して作動部材４００が下動し、作動部材４００の作動片４２０が係合して連結されている連動部材４が下動する。
【００８６】
該連動部材４が下動により、図２７に示すように連動部材４の上端部および下端部に連結されているラッチ錠２，２の作動部材２５，２５も下動し、作動部材２５の係合部２８，２８を介してカム９０を構成する第１カム７０と第２カム８０が回動し、第１カム７０の先端部７１，７１によりラッチ６，６が後退されてラッチ錠２，２が解錠される。
【００８７】
即ち、扉Ｄの中央部の主錠１のハンドル３８を回動してラッチ５を解錠操作すると、上端部と下端部のラッチ錠２，２も同時に解錠される。
なお、ハンドル３８から手を放せば、カム５０に掛架されたバネ５７によりカム５０およびハンドル３８は元の状態に復帰し、主錠１の作動部材４００および連動部材４、更にはラッチ錠２，２の作動部材２５，２５もすべて元の状態に復帰し、ラッチ５および６，６は突出して元の状態に復帰する。その後、閉扉すればラッチ５および６，６は枠側の受座に当接して斜面の作用により後退し、完全に閉扉された時に受座の受穴に突出して嵌合して施錠される。
【実施例４】
【００８８】
図２８および図２９は、本発明の扉錠の第４実施例を示すもので、前記の第３実施例では、扉の上端部と下端部のラッチ錠２，２は摺動式のラッチ６を使用していたのに対し、本実施例のラッチ錠３，３は反転式のラッチ８を使用している点で異なる。
なお、本実施例のラッチ錠３は前記第２実施例と同様の反転式のラッチ８を使用したものであるが、施錠部材とそれを作動させる作動部材の形態が少し異なる。
【００８９】
上記のラッチ錠３は、ケース３ａに固定されたラッチケース８ｃ内に反転式のラッチ８が、反転かつ摺動自在に嵌装され、バネ８ｂにより常時突出方向に付勢されている。
また、ラッチケース８ｃの後方部で第１施錠部材６５と第２施錠部材６７が、上下対称にケース３ａに軸６５ａ、６７ａを支点に回動自在に枢支されている。
【００９０】
上記の第１および第２施錠部材６５、６７は互いに連結ピン６６により連結されると共に、第１施錠部材６５はバネ６８により常時反時計方向に付勢され、先端部の施錠部６５ｂがラッチ８の上部の突起部８ａに係合してラッチ８の反転を阻止し、後端部６５ｃはコの字状の作動部材６３の上片６３ａに係合している。
また、第２施錠部材６７は上記の連結ピン６６を介して時計方向に付勢され、先端部の施錠部６７ｂがラッチ８の下部の突起部８ａに係合して、ラッチ８の反転を阻止している。
【００９１】
上記のコの字状の作動部材６３は、ケース３ａの後端部で上下方向に摺動自在に設けられ、上片６３ａは上記第１施錠部材６５の後端部６５ｃに係合し、側片６３ｂには作動片６４が固定され、その先端部はケース３ａの後端部の開口部からケース３ａの外方へ突出している。なお、上記の作動部材６３は、上片６３ａと下片６３ｃとに形成された突起片が、ケース３ａのガイド穴３ｇ，３ｇをガイドにして上下方向に摺動する。
【００９２】
ところで、本実施例のラッチ錠３は、前記第３実施例のラッチ錠２と同様に、ケース３ａの上部と下部および後端部を被覆するようにして外ケース３００が取り付けられる。
該外ケース３００の取り付けは、前記ラッチ錠２の外ケース２００の取り付け方法と同じであり、扉Ｄの縦部材Ｄ１にフロント３ｊおよびケース３ａの折曲片３ｉを介してネジ９２，９２で取り付けたラッチ錠３のケース３ａの後端部から、扉Ｄ内において外ケース３００をケース３ａを被覆するように差し込み、その前端部をネジ９２，９２で取り付け固定する。
【００９３】
上記の外ケース３００の後端部には、前記第３実施例と同様に、主錠１に連結された連動部材４の上端部が上下動自在に挿入され、外ケース３００外の上方と下方とに固定したネジ４８，４８により連動部材４は外ケース３００から離脱しないように保持される。
該連動部材４の、ケース３ａ内への挿入部分の上下方向の中央部には断面コの字状の作動部材８６が、その底片をネジ８７，８７で固定されており、その上片には係合穴８８が形成されている。
【００９４】
該係合穴８８には、前記ラッチ錠３のケース３ａ内で上下方向に摺動自在に設けられた作動部材６３に固定された作動片６４が係合して連結され、連動部材４の上下動に連動して作動部材６３も上下動する。
なお、扉Ｄの下端部のラッチ錠３は、上記の上端部のラッチ錠３と同じ構成であるので、その説明は省略するが、該下端部のラッチ錠３には、主錠１に連結された連動部材４の下端部が連結される。
（第４実施例の動作説明）
【００９５】
上記第４実施例の扉錠の動作を以下に説明する。
主錠１は、図２２および図２３に示す前記第３実施例の主錠１と同じであり、ハンドル３８を回動してカム５０を介してラッチ５を後退させて解錠操作すると、カム５０に係合する作動部材４００が下動し、該作動部材４００に係合する連動部材４が連動して下動する。
該連動部材４が下動すると、図２９に示すように連動部材４に固定された作動部材８６に係合する作動片６４を介して、ラッチ錠３のコの字状の作動部材６３が下動する。
【００９６】
該コの字状作動片６３が下動すると、その上片６３ａに係合する第１施錠部材６５の後端部６５ｃが押動され、第１施錠部材６５は時計方向に回動し、先端部の施錠部６５ｂと反転式のラッチ８の突起部８ａとの係合が外れる。
また、第１施錠部材６５が回動すると連結ピン６６により連結される第２施錠部材６７が反時計方向に回動し、その先端部の施錠部６７ｂとラッチ８の突起部８ａとの係合が外れる。
従って、ラッチ８の反転が許容されるのでラッチ錠３は解錠される。
なお、反転式のラッチ８の作動は前記第２実施例のラッチ錠３の反転式のラッチ８と同じである。
【００９７】
本発明の扉錠は、上記各実施例の構成に限らず、適宜変更可能である。即ち、上記各実施例では、扉の上端部と下端部との両方にラッチ錠を使用し、主錠と両方のラッチ錠の３箇所で施錠する構成としたが、扉の大きさによっては上端部または下端部の一方にのみラッチ錠を使用し、主錠と一方のラッチ錠の２箇所で施錠する構成としてもよい。
【００９８】
また、主錠１のハンドル３８はレバー型のハンドルを使用する構成としたが、ノブ型のハンドルを使用する構成としてもよい。
【００９９】
また、主錠１には本締用のデッドボルト７を有する構成としたが、デッドボルト７を有しない構成としてもよい。その場合は、主錠とは別にデッドボルトを有する本締錠を取り付けることが好ましい。
【０１００】
更に、上記実施例３，４では、連動部材４を扉Ｄの内部であって主錠１およびラッチ錠２，３のケースの後端部において上下動可能に設ける構成としたが、連動部材４をケースの側面部と扉Ｄとの間に上下動自在に設ける構成としてもよい。
【符号の説明】
【０１０１】
１          主錠
２，３      ラッチ錠
４          連動部材
５          主錠のラッチ
６          ラッチ錠２のラッチ
７          デッドボルト
８          ラッチ錠３のラッチ（反転式のラッチ）
１０        主錠のケース
２０        ラッチ錠のケース
２５        ラッチ錠２の作動部材
３０        主錠のラッチ作動機構
３８        ハンドル
４０        主錠の作動部材
４５        ラッチ錠３の作動部材
５０        カム
６０        ラッチ錠のラッチ作動機構
６１，６２  反転式のラッチ錠のラッチ作動機構
７０        第１カム
８０        第２カム
９０        カム
１００，２００，３００  外ケース
Ｄ    扉
Ｄ１  縦部材
Ｄ２  開口部
【図１（ａ）】
2013249644.tif 000003
【図１（ｂ）】
2013249644.tif 000004
【図２】
2013249644.tif 000005
【図３】
2013249644.tif 000006
【図４（ａ）】
2013249644.tif 000007
【図４（ｂ）】
2013249644.tif 000008
【図５】
2013249644.tif 000009
【図６】
2013249644.tif 000010
【図７】
2013249644.tif 000011
【図８】
2013249644.tif 000012
【図９】
2013249644.tif 000013
【図１０】
2013249644.tif 000014
【図１１】
2013249644.tif 000015
【図１２】
2013249644.tif 000016
【図１３】
2013249644.tif 000017
【図１４】
2013249644.tif 000018
【図１５】
2013249644.tif 000019
【図１６】
2013249644.tif 000020
【図１７】
2013249644.tif 000021
【図１８】
2013249644.tif 000022
【図１９】
2013249644.tif 000023
【図２０】
2013249644.tif 000024
【図２１】
2013249644.tif 000025
【図２２】
2013249644.tif 000026
【図２３】
2013249644.tif 000027
【図２４】
2013249644.tif 000028
【図２５】
2013249644.tif 000029
【図２６】
2013249644.tif 000030
【図２７】
2013249644.tif 000031
【図２８】
2013249644.tif 000032
【図２９】
2013249644.tif 000033